(57)【要約】【課題】映像の特徴をよく表していると考えられる領域を検出することができるようにする。【解決手段】番組を構成する全てのフレームの全ての領域の映像を対象として同じ処理が行われるのではなく、あるフレームに、映像の特徴を抽出するという点から見て重要であると考えられる領域である重要領域があると判定された場合、その重要領域の映像が重点的に解析され、特徴が抽出される。字幕を押しのける形で表示されるようになったテロップの表示領域を含む領域は、番組の制作者側が視聴者に確実に見せようとして挿入されたものであるから、シーンの特徴をよく表しているものである可能性が高く、重要領域として指定される。本発明は、映像を解析する装置に適用することができる。【選択図】図２
2008104038.tif 000002
【特許請求の範囲】
【請求項１】
それぞれのフレームに含まれる字幕の表示領域の位置を取得する取得手段と、
字幕の表示領域の平均の位置から所定の距離だけ離れた位置に字幕の表示領域を含むフレームのうち、字幕の表示領域の平均の位置を含む所定の領域を重要領域として指定する指定手段と
を備える情報処理装置。
【請求項２】
前記指定手段により指定された前記重要領域の映像の特徴を抽出する処理を、他の領域の映像の特徴を抽出する処理よりも多く行う特徴抽出手段をさらに備える
請求項１に記載の情報処理装置。
【請求項３】
前記特徴抽出手段は、時間的、処理量的、または回数的に多く、前記指定手段により指定された前記重要領域の映像の特徴を抽出する処理を行う
請求項２に記載の情報処理装置。
【請求項４】
それぞれのフレームに含まれる字幕の表示領域の位置を取得し、
字幕の表示領域の平均の位置から所定の距離だけ離れた位置に字幕の表示領域を含むフレームのうち、字幕の表示領域の平均の位置を含む所定の領域を重要領域として指定する
ステップを含む情報処理方法。
【請求項５】
それぞれのフレームに含まれる字幕の表示領域の位置を取得し、
字幕の表示領域の平均の位置から所定の距離だけ離れた位置に字幕の表示領域を含むフレームのうち、字幕の表示領域の平均の位置を含む所定の領域を重要領域として指定する
ステップを含む処理をコンピュータに実行させるプログラム。
【発明の詳細な説明】
【技術分野】
【０００１】
本発明は、情報処理装置、情報処理方法、およびプログラムに関し、特に、映像の特徴をよく表していると考えられる領域を検出することができるようにした情報処理装置、情報処理方法、およびプログラムに関する。
【背景技術】
【０００２】
ハードディスクレコーダなどの録画機器の中には、録画したテレビジョン番組の映像を解析することによって特徴を抽出し、抽出した特徴に基づいて、シーンの切り替わりの位置を検出してチャプタを自動的に設定したり、ダイジェスト再生の対象となるシーンを自動的に選択したりする機能が搭載されているものがある。
【０００３】
例えば、映像の特徴が大きく変わった位置が内容も変わった位置として検出され、その位置にチャプタが自動的に設定される。また、テロップが頻繁に表示される区間が番組の盛り上がりの区間として検出され、ユーザがダイジェスト再生を選択したときに再生される区間として自動的に選択される。
【０００４】
特徴の抽出は、人や風景が映っている、番組のメインの映像だけでなく、それに重ねて挿入されたテロップなども対象として行われる。テロップが存在するか否かの情報を特徴として抽出するだけでなく、その内容（文字）を認識し、認識した文字を特徴として抽出することも行われている。例えば、認識された文字の中に人の名前が含まれている場合、その名前は、メインの映像に映っている出演者の名前を表すものとして管理される。
【０００５】
特許文献１には、色情報に基づいて、静止画像が人工画像であるか否かを判定し、人工画像であると判定された画像に含まれる文字情報を抽出するとともに、その文字情報の抽出の対象になった画像の背景の色などから、その画像が重要な画像であるかを判定する技術が開示されている。
【特許文献１】特開２００４−７０４２７号公報
【発明の開示】
【発明が解決しようとする課題】
【０００６】
近年のテレビジョン番組の傾向としてテロップを多用する傾向があり、映像の特徴を抽出するという点からは、さほど重要ではないテロップも中には存在する。映像の特徴を効率的に抽出するには、重要ではないテロップを対象とするよりも、重要なテロップを対象として重点的に解析を行い、特徴を抽出した方が好ましい。
【０００７】
本発明はこのような状況に鑑みてなされたものであり、映像の特徴をよく表していると考えられる領域を検出することができるようにするものである。
【課題を解決するための手段】
【０００８】
本発明の一側面の情報処理装置は、それぞれのフレームに含まれる字幕の表示領域の位置を取得する取得手段と、字幕の表示領域の平均の位置から所定の距離だけ離れた位置に字幕の表示領域を含むフレームのうち、字幕の表示領域の平均の位置を含む所定の領域を重要領域として指定する指定手段とを備える。
【０００９】
前記指定手段により指定された前記重要領域の映像の特徴を抽出する処理を、他の領域の映像の特徴を抽出する処理よりも多く行う特徴抽出手段をさらに設けることができる。
【００１０】
前記特徴抽出手段には、時間的、処理量的、または回数的に多く、前記指定手段により指定された前記重要領域の映像の特徴を抽出する処理を行わせることができる。
【００１１】
本発明の一側面の情報処理方法またはプログラムは、それぞれのフレームに含まれる字幕の表示領域の位置を取得し、字幕の表示領域の平均の位置から所定の距離だけ離れた位置に字幕の表示領域を含むフレームのうち、字幕の表示領域の平均の位置を含む所定の領域を重要領域として指定するステップを含む。
【００１２】
本発明の一側面においては、それぞれのフレームに含まれる字幕の表示領域の位置が取得され、字幕の表示領域の平均の位置から所定の距離だけ離れた位置に字幕の表示領域を含むフレームのうち、字幕の表示領域の平均の位置を含む所定の領域が重要領域として指定される。
【発明の効果】
【００１３】
本発明の一側面によれば、映像の特徴をよく表していると考えられる領域を検出することができる。
【発明を実施するための最良の形態】
【００１４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１５】
本発明の一側面の情報処理装置（例えば、図１の情報処理装置１）は、それぞれのフレームに含まれる字幕の表示領域の位置を取得する取得手段（例えば、図５の字幕位置判定部３３）と、字幕の表示領域の平均の位置から所定の距離だけ離れた位置に字幕の表示領域を含むフレームのうち、字幕の表示領域の平均の位置を含む所定の領域を重要領域として指定する指定手段（例えば、図５の領域指定部３４）とを備える。
【００１６】
この情報処理装置には、前記指定手段により指定された前記重要領域の映像の特徴を抽出する処理を、他の領域の映像の特徴を抽出する処理よりも多く行う特徴抽出手段（例えば、図５の映像特徴抽出部３５）をさらに設けることができる。
【００１７】
本発明の一側面の情報処理方法またはプログラムは、それぞれのフレームに含まれる字幕の表示領域の位置を取得し、字幕の表示領域の平均の位置から所定の距離だけ離れた位置に字幕の表示領域を含むフレームのうち、字幕の表示領域の平均の位置を含む所定の領域を重要領域として指定するステップ（例えば、図６のステップＳ４）を含む。
【００１８】
以下、本発明の実施の形態について図を参照して説明する。
【００１９】
図１は、本発明の一実施形態に係る情報処理装置１を示す図である。
【００２０】
図１に示されるように、情報処理装置１にはケーブルを介してテレビジョン受像機２が接続される。情報処理装置１は、ハードディスクなどの記録媒体を内蔵し、例えば、デジタルテレビジョン放送、あるいはインターネットを介した放送によって提供される番組をハードディスクに記録（録画）する。すなわち、情報処理装置１には、アンテナからの信号などが供給されるようになされている。情報処理装置１は、リモートコントローラなどを用いて行われるユーザの操作に応じて録画済みの番組を再生し、番組の映像や音声をテレビジョン受像機２に出力させる。
【００２１】
また、情報処理装置１は、受信された録画の対象になっている番組の映像や、ハードディスクに記録されている録画済みの番組の映像を解析して特徴を抽出し、抽出した特徴に基づいて、番組全体を所定の映像の区間からなるシーンに区切り、シーンの区切りにチャプタを設定する機能を有している。ユーザは、自ら設定することなく情報処理装置１により自動的に設定されたチャプタを選択することによって好みのシーンだけを再生させたり、情報処理装置１により選択されたシーンだけをダイジェスト再生させたりすることができる。
【００２２】
このような機能を有する情報処理装置１においては、番組を構成する全てのフレームの全ての領域の映像を対象として同じ内容、同じ程度の解析処理が行われることによって特徴が抽出されるのではなく、あるフレームに、映像の特徴を抽出するという点から見て重要であると考えられる領域である重要領域がある場合、その重要領域の映像を対象として重点的に解析処理が行われ、特徴が抽出される。
【００２３】
重要領域の映像に対しては、時間をかけて解析処理が行われるといったように時間的に多くの処理が行われたり、解析処理が多くのデータを用いて行われるといったように処理量的に多くの処理が行われたり、解析処理が多くの回数だけ行われるといったように回数的に多くの処理が行われたりするようにして、同じフレームの他の領域や他のフレームの領域の映像と較べて重点的に解析が行われる。重要領域の映像に対して複雑な内容の解析処理が行われることによってより詳しい特徴が抽出されるようにしてもよいし、重要領域の映像から優先的に解析処理が行われるようにしてもよい。
【００２４】
図２は、重要領域の例を示す図である。
【００２５】
図２の映像Ｐ1乃至Ｐ7は、ある番組のシーンの代表画である。映像Ｐ1乃至Ｐ7に示される、内側に「字幕」の文字が付されている枠は、その枠によって囲まれる領域に字幕が表示されることを表す。例えば、メインの映像に映っている出演者の発話の内容を表す文字が、字幕としてメインの映像に重ねて表示される。
【００２６】
デジタルテレビジョン放送によって放送される番組のデータには、映像や音声のデータの他に字幕のデータも含まれており、ユーザは字幕の表示のオン／オフを選択することができる。字幕のデータには、字幕として表示する文章のデータ（テキストデータ）の他に、表示タイミングや、フレーム内の表示位置を指定するデータも含まれている。
【００２７】
図２の例においては、映像Ｐ1に表示される字幕の位置はフレームの下方の位置とされている。テロップなどの表示が行われない通常時には、このように、字幕はフレームの下方の位置に表示される。
【００２８】
映像Ｐ2に表示される字幕の位置は、オープンキャプションである「Happy Birthday!!」のテロップがフレームの下方の位置に表示されていることから、フレームの中央付近の位置とされている。「Happy Birthday!!」のテロップの表示が開始されることに伴い、それまでフレームの下方の位置に表示されていた字幕の位置がフレームの中央付近の位置に移動し、テロップが表示されている間、字幕はフレームの中央付近の位置に表示され続ける。
【００２９】
同様に、図２の例においては、映像Ｐ3に表示される字幕の位置はフレームの下方の位置とされ、映像Ｐ4に表示される字幕の位置は、オープンキャプションである「失敗→失敗→禁止」のテロップがフレームの下方の位置に表示されていることから、フレームの中央付近の位置とされている。
【００３０】
映像Ｐ5に表示される字幕の位置はフレームの下方の位置とされ、映像Ｐ6に表示される字幕の位置は、オープンキャプションである「さようなら！」のテロップがフレームの下方の位置に表示されていることから、フレームの中央付近の位置とされている。映像Ｐ7に表示される字幕の位置はフレームの下方の位置とされている。
【００３１】
例えば、このようにして字幕が表示される場合、字幕をいわば押しのける形で表示されるようになった「Happy Birthday!!」のテロップの表示領域付近の領域である映像Ｐ2の領域Ａ1、「失敗→失敗→禁止」のテロップの表示領域付近の領域である映像Ｐ4の領域Ａ2、「さようなら！」のテロップの表示領域付近の領域である映像Ｐ6の領域Ａ3が重要領域として指定される。領域Ａ1乃至Ａ3は、それぞれ、テロップが表示されている領域ではあるが通常時には字幕が表示される領域でもあり、通常時に字幕が表示される領域の重心位置を含む一定の領域が、このように重要領域として指定される。
【００３２】
字幕を押しのけてまで表示されるテロップは、番組の制作者側が視聴者に確実に見せようとして挿入されたものであるから、シーンの特徴をよく表しているものである可能性が高い。従って、そのようなテロップが表示される領域やその周辺の映像を重点的に解析することによって、チャプタの設定やダイジェスト再生のシーンを決定するための基準として用いるのに意味のある特徴を抽出することが可能になる。
【００３３】
字幕を押しのけて表示されるテロップとしては、人の名前、電話番号、地理的な名称を含むテロップなどがあるが、そのようなテロップを重点的に解析し、文字認識することにより、人の名前などを特徴として抽出することが可能になる。
【００３４】
図３は、重要領域の検出の概念を示す図である。
【００３５】
例えば、字幕が表示される領域である字幕領域の重心位置がそれぞれのフレームを対象として検出され、平均の位置からずれた位置に字幕領域の重心位置があるとして検出されたフレームから重要領域が指定される。重要領域は、字幕領域の重心の平均の位置を含むものになるように指定される。
【００３６】
図３の例においては、映像Ｐ1内の字幕領域の重心の縦方向（ｙ軸方向）の位置は位置ａとされ、同様に位置ａを重心の縦方向の位置とした領域に字幕が表示されるフレームの数が多いことから、位置ａが、字幕領域の重心の平均の位置とされている。
【００３７】
また、位置ａから離れた位置に字幕領域の重心位置があるとして検出された映像Ｐ2，Ｐ4，Ｐ6から、領域Ａ1乃至Ａ3の重要領域がそれぞれ指定されている。
【００３８】
重要領域を指定する情報処理装置１の一連の処理についてはフローチャートを参照して後述する。
【００３９】
図４は、情報処理装置１のハードウエア構成例を示すブロック図である。
【００４０】
CPU(Central Processing Unit)１１は、ROM(Read Only Memory)１２、または記録部１９に記録されているプログラムに従って各種の処理を実行する。RAM(Random Access Memory)１３には、CPU１１が実行するプログラムやデータなどが適宜記録される。これらのCPU１１、ROM１２、およびRAM１３は、バス１４により相互に接続されている。
【００４１】
CPU１１にはまた、バス１４を介して入出力インタフェース１５が接続されている。入出力インタフェース１５には、受信部１６、入力部１７、出力部１８、記録部１９、通信部２０、およびドライブ２１が接続されている。
【００４２】
受信部１６は、アンテナ１６Ａからの放送波信号を受信、復調し、MPEG-TS(Moving Picture Experts Group-Transport Stream)を取得する。受信部１６は、録画の対象になっている番組のデータ（番組の映像、音声、字幕のデータ）をMPEG-TSから抽出し、抽出したデータを入出力インタフェース１５を介して記録部１９に出力する。
【００４３】
入力部１７は、リモートコントローラからの信号を受信し、ユーザの操作の内容を表す情報を入出力インタフェース１５、バス１４を介してCPU１１に出力する。CPU１１においては、入力部１７から供給される情報に対応して録画済みの番組の再生などの各種の処理が行われる。
【００４４】
出力部１８は、受信部１６により受信され、例えばCPU１１によりソフトウエア的にデコードされた番組の映像などをテレビジョン受像機２に表示させる。
【００４５】
記録部１９は例えばハードディスクからなり、CPU１１が実行するプログラムや、入出力インタフェース１５を介して受信部１６から供給された番組のデータなどの各種のデータを記録する。
【００４６】
通信部２０は、インターネットやローカルエリアネットワークなどのネットワークを介して外部の装置と通信を行う。インターネットを介して放送された番組が通信部２０において受信されるようにしてもよい。
【００４７】
ドライブ２１は、磁気ディスク、光ディスク、光磁気ディスク、或いは半導体メモリなどのリムーバブルメディア２２が装着されたとき、それらを駆動し、そこに記録されているプログラムやデータなどを取得する。取得されたプログラムやデータは、必要に応じて記録部１９に転送され、記録される。
【００４８】
図５は、情報処理装置１の機能構成例を示すブロック図である。図５に示す機能部のうちの少なくとも一部は、図４のCPU１１により所定のプログラムが実行されることによって実現される。
【００４９】
図５に示されるように、情報処理装置１においては、字幕・映像取得部３１、映像デコード部３２、字幕位置判定部３３、領域指定部３４、および映像特徴抽出部３５が実現される。
【００５０】
字幕・映像取得部３１は、番組の映像、字幕のデータを取得し、取得した映像のデータを映像デコード部３２に、字幕のデータに含まれる、字幕の表示位置を表すデータである字幕位置情報を字幕位置判定部３３に出力する。例えば、受信部１６により受信された番組の映像、字幕のデータ、または、記録部１９に記録されている、録画済みの番組の映像、字幕のデータが字幕・映像取得部３１により取得される。
【００５１】
映像デコード部３２は、字幕・映像取得部３１から供給されたデータから図２に示されるようなそれぞれのフレームの映像をデコードし、デコードして得られたベースバンドの映像情報を映像特徴抽出部３５に出力する。
【００５２】
字幕位置判定部３３は、字幕・映像取得部３１から供給された字幕位置情報に基づいて、字幕の表示位置が通常時の表示位置から所定の範囲に収まっているか否かを判定し、判定結果である字幕位置判定情報を領域指定部３４に出力する。
【００５３】
例えば、字幕位置判定部３３は、注目するフレームに含まれる字幕領域の重心の位置を字幕位置情報に基づいて取得し、取得した位置と、字幕領域の平均の位置との差を算出する。字幕位置判定部３３に対しては、フレームの所定の位置を基準とした、字幕領域の重心の縦方向の位置の移動平均が字幕領域の平均の位置としてあらかじめ与えられており、注目するフレームに含まれる字幕領域の重心の位置との差を算出するのに用いられる。字幕位置判定部３３においては、このような判定がそれぞれのフレームを対象として順次行われる。
【００５４】
領域指定部３４は、字幕位置判定部３３から供給された字幕位置判定情報に基づいて重要領域を指定し、指定した重要領域の位置、範囲などを表す情報である重要領域情報を映像特徴抽出部３５に出力する。
【００５５】
例えば、領域指定部３４は、字幕領域の平均の位置との差が閾値としての差を超えており、所定の距離だけ離れた位置に字幕領域が含まれていると字幕位置判定部３３により判定されたフレーム全体のうち、字幕領域の平均の位置を含む一定の領域を重要領域として指定し、その位置、範囲などを表す重要領域情報を映像特徴抽出部３５に出力する。
【００５６】
映像特徴抽出部３５は、映像デコード部３２から供給された映像情報に基づいて、映像を構成する画素の画素値、映像に映る被写体の動きなどを解析し、特徴として抽出する。このとき、映像特徴抽出部３５は、領域指定部３４から供給された重要領域情報により指定される重要領域の映像を他の領域の映像と較べて重点的に解析し、特徴を抽出する。
【００５７】
例えば、テロップの検出処理が行われ、テロップの有無、テロップの内容などが特徴として抽出されるようにしてもよい。テロップの検出は、エッジを検出し、文字を認識するなどして行われる。他の領域をも対象としたテロップの検出処理により複数のテロップが検出されている場合、重要領域内のテロップのみ、あるいは、重要領域に重なるテロップから順に、特徴抽出の対象として用いられる。重要領域にはテロップがあると仮定され、処理が進められるようにしてもよい。
【００５８】
映像特徴抽出部３５により抽出された特徴は抽出結果として後段の構成に出力され、所定のタイミングで、チャプタの設定やダイジェスト再生のシーンを選択する基準として用いられる。
【００５９】
次に、図６のフローチャートを参照して、重要領域を指定する情報処理装置１の処理について説明する。
【００６０】
この処理は、番組の映像、字幕のデータが字幕・映像取得部３１により取得され、映像のデータが映像デコード部３２に、字幕位置情報が字幕位置判定部３３に出力されたときに開始される。映像デコード部３２においては、映像のデコードが行われ、映像情報が映像特徴抽出部３５に出力される。
【００６１】
ステップＳ１において、字幕位置判定部３３は、注目するフレームに含まれる字幕領域の重心の位置を字幕・映像取得部３１から供給された字幕位置情報に基づいて取得する。
【００６２】
ステップＳ２において、字幕位置判定部３３は、ステップＳ１で取得した位置と、字幕領域の移動平均の位置との差を算出する。
【００６３】
ステップＳ３において、字幕位置判定部３３は、注目するフレームに含まれる字幕領域の重心の位置と、字幕領域の移動平均の位置との差が閾値としての差を超えているか否かを判定し、超えていないと判定した場合、ステップＳ１以降の処理を繰り返す。字幕位置判定部３３による判定結果は領域指定部３４に供給される。
【００６４】
一方、ステップＳ３において、注目するフレームに含まれる字幕領域の重心の位置と、字幕領域の移動平均の位置との差が閾値としての差を超えていると判定された場合、ステップＳ４において、領域指定部３４は、字幕領域の移動平均の位置との差が閾値としての差を超えており、所定の距離だけ離れた位置に字幕領域が含まれていると字幕位置判定部３３により判定されたフレーム全体のうち、字幕領域の移動平均の位置を含む一定の領域を重要領域として指定する。領域指定部３４により指定された重要領域の位置、範囲などを表す重要領域情報は映像特徴抽出部３５に供給される。
【００６５】
ステップＳ５において、映像特徴抽出部３５は、領域指定部３４から供給された重要領域情報により指定される重要領域の映像のみを対象として、あるいは、重要領域の映像から順に対象として、特徴の抽出を行う。映像特徴抽出部３５により抽出された特徴の抽出結果は後段に供給され、処理は終了される。
【００６６】
以上の処理により、映像の特徴をよく表していると考えられる領域を重要領域として指定することができ、指定した重要領域の映像を重点的に解析することによって、特徴を効率的に抽出することが可能になる。
【００６７】
以上においては、字幕の表示領域の位置が移動した場合に、通常の字幕の表示領域の位置を含む領域が重要領域として指定されるものとしたが、例えば、フレームの隅に表示される時刻の表示領域の位置が移動した場合やロゴの表示領域の位置が移動した場合などのように、他の情報が表示される領域の位置が移動した場合に、その情報の通常時の表示領域の位置を含む領域が重要領域として指定されるようにしてもよい。
【００６８】
また、以上においては、重要領域の映像が重点的に解析され、特徴が抽出されるものとしたが、解析自体は他の領域と同じ内容、同じ程度の処理が行われ、重要領域の映像から抽出された特徴に、他の領域の映像から抽出された特徴よりも高い優先度が設定され、チャプタの設定などに優先的に用いられるようにしてもよい。
【００６９】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００７０】
コンピュータにインストールされ、コンピュータによって実行可能な状態とされるプログラムを格納するプログラム記録媒体は、図４に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア２２、または、プログラムが一時的もしくは永続的に格納されるROM１２や、記録部１９を構成するハードディスクなどにより構成される。プログラム記録媒体へのプログラムの格納は、必要に応じてルータ、モデムなどのインタフェースである通信部２０を介して、ローカルエリアネットワーク、インターネット、デジタル衛星放送といった、有線または無線の通信媒体を利用して行われる。
【００７１】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【００７２】
本発明の実施の形態は、上述した実施の形態に限定されるものではなく、本発明の要旨を逸脱しない範囲において種々の変更が可能である。
【図面の簡単な説明】
【００７３】
【図１】本発明の一実施形態に係る情報処理装置を示す図である。
【図２】重要領域の例を示す図である。
【図３】重要領域の検出の概念を示す図である。
【図４】情報処理装置のハードウエア構成例を示すブロック図である。
【図５】情報処理装置の機能構成例を示すブロック図である。
【図６】情報処理装置の処理を説明するフローチャートである。
【符号の説明】
【００７４】
１  情報処理装置，  ３１  字幕・映像取得部，  ３２  映像デコード部，  ３３  字幕位置判定部，  ３４  領域指定部，  ３５  映像特徴抽出部
【図１】
2008104038.tif 000003
【図２】
2008104038.tif 000004
【図３】
2008104038.tif 000005
【図４】
2008104038.tif 000006
【図５】
2008104038.tif 000007
【図６】
2008104038.tif 000008